(57)【要約】【課題】既存の（無線伝送対応していない）映像機器間で映像音声信号をワイヤレスに伝送すること。また、複数の映像出力機器がある場合に、それらの出力信号を容易に切り替えて視聴可能とすること。【解決手段】無線受信装置１２は、一つまたは複数の無線送信装置１１から送信される無線信号を受信し、その無線信号から自機で受信可能な一つまたは複数の映像音声信号を選択することを特徴とする。本構成によって、無線送受信機能を持たない映像音声入出力機器間で映像音声信号の無線伝送を可能とし、かつ映像音声出力機器が複数ある場合に、受信側でその一つを選択して表示することができる。【選択図】図１
2005192072.tif 000002
【特許請求の範囲】
【請求項１】
外部機器から映像かつまたは音声信号（以下映像音声信号）を入力する映像音声入力部と、
前記映像音声信号をデジタル信号に変換するＡ／Ｄ変換部と、
前記デジタル信号を無線信号に変調して送信する無線送信部と、
前記Ａ／Ｄ変換部と前記無線送信部を制御する送信制御部とを少なくとも備えた一つまたは複数の無線送信装置と、
無線信号を受信してデジタル信号に復調する無線受信部と、
前記デジタル信号を映像音声信号に変換するＤ／Ａ変換部と、
前記映像音声信号を外部機器に出力する映像音声出力部と、
前記無線受信部と前記Ｄ／Ａ変換部を制御する受信制御部とを少なくとも備えた一つまたは複数の無線受信装置と、を備え、
前記無線受信装置は、一つまたは複数の前記無線送信装置から送信される無線信号を受信し、その無線信号から自機で受信可能な一つまたは複数の映像音声信号を選択することを特徴とする、ワイヤレス映像音声伝送システム。
【請求項２】
前記無線受信装置は、
ユーザからの選択指示を受け付けるユーザ入力部をさらに備え、
前記受信制御部は、複数の映像音声信号を受信可能な場合に、各映像音声信号を順に出力し、前記ユーザ入力部からの選択指示があった時点で順に出力する動作を止めてその時点で出力していた映像音声信号の出力を継続することを特徴とする、請求項１に記載のワイヤレス映像音声伝送システム。
【請求項３】
前記無線受信装置は、
ユーザからの選択指示を受け付けるユーザ入力部をさらに備え、
前記受信制御部は、複数の映像音声信号を受信可能な場合に、複数の映像信号をユーザが選択可能な形態で合成して一つの映像信号として出力し、前記ユーザ入力部からの選択指示があった場合にその選択に応じて前記複数の映像音声信号から一つを選択して出力することを特徴とする、請求項１に記載のワイヤレス映像音声伝送システム。
【請求項４】
前記無線受信装置はそれぞれ自機に固有の識別番号を持ち、
前記無線送信装置の前記送信制御部は、
デジタル信号を無線信号に変調する際に受信対象となる一つまたは複数の無線受信装置の識別番号をデジタル信号または無線信号に含めて変調するよう前記無線送信部を制御し、
前記無線受信装置の前記受信制御部は、
前記無線受信部が受信した無線信号または復調したデジタル信号に自機の識別番号が含まれている場合に自機で受信可能と判定することを特徴とする、請求項１から３のいずれか一項に記載のワイヤレス映像音声伝送システム。
【請求項５】
前記無線送信装置および前記無線受信装置は共にデジタル信号の暗号化に用いる暗号鍵を保持する暗号鍵保持部をさらに備え、
前記無線送信装置の前記送信制御部は、
デジタル信号を前記暗号鍵で暗号してから無線信号に変換するよう前記無線送信部を制御し、
前記無線受信装置の前記受信制御部は、
復調したデジタル信号を前記暗号鍵で復調するよう前記無線受信部を制御することを特徴とする、請求項１から４のいずれか一項に記載のワイヤレス映像音声伝送システム。
【請求項６】
前記無線受信装置および前記無線送信装置の前記暗号鍵保持部には、製造時に同じ暗号鍵を記録することを特徴とする、請求項５に記載のワイヤレス映像音声伝送システム。
【請求項７】
前記無線受信装置および前記無線送信装置は互いに通信可能な接触型の通信手段をさらに備え、
前記接触型の通信手段により前記無線受信装置と前記無線送信装置の間で識別番号かつまたは暗号鍵の交換を行うことを特徴とする、請求項５または６に記載のワイヤレス映像音声伝送システム。
【請求項８】
前記無線受信装置および前記無線送信装置は互いに通信可能な近接非接触型の通信手段をさらに備え、
前記近接非接触型の通信手段により前記無線受信装置と前記無線送信装置の間で識別番号かつまたは暗号鍵の交換を行うことを特徴とする、請求項５または６に記載のワイヤレス映像音声伝送システム。
【請求項９】
前記無線受信装置および前記無線送信装置はユーザが通信開始を指示するための通信開始指示手段をさらに備え、
前記通信開始指示手段により通信開始が指示された場合に、前記近接非接触型の通信手段により前記無線受信装置と前記無線送信装置の間で識別番号かつまたは暗号鍵の交換を行うことを特徴とする、請求項８に記載のワイヤレス映像音声伝送システム。
【請求項１０】
前記無線送信装置は
前記映像音声入力部から入力される映像音声信号に重畳されるコピープロテクト信号の有無を検出するコピープロテクト信号検出部をさらに備え、
前記送信制御部はデジタル信号に前記コピープロテクト信号検出部によるコピープロテクト信号の検出結果を含めて無線信号に変換するよう前記無線送信部を制御し、
前記無線受信装置は、
前記映像音声出力部に出力する映像音声信号にコピープロテクト信号を重畳するコピープロテクト信号重畳部をさらに備え、
前記受信制御部は前記無線受信部が復調したデジタル信号に含まれるコピープロテクト信号の検出結果が少なくともコピープロテクト有りの場合は前記コピープロテクト信号重畳部がコピープロテクト信号を重畳するよう制御することを特徴とする、請求項１から９のいずれか一項に記載のワイヤレス映像音声伝送システム。
【請求項１１】
前記無線送信装置の前記Ａ／Ｄ変換部は映像音声信号をデジタル信号に変換する際に圧縮処理をも行い、
前記無線受信装置の前記Ｄ／Ａ変換部はデジタル信号を映像音声信号に変換する際に伸張処理をも行うことを特徴とする、請求項１から１０のいずれか一項に記載のワイヤレス映像音声伝送システム。
【請求項１２】
前記無線送信装置の前記送信制御部は、
前記映像音声信号入力部に映像音声信号の入力がない場合は前記Ａ／Ｄ変換部かつまたは前記無線送信部を動作させない制御を行うことを特徴とする、請求項１から１１のいずれか一項に記載のワイヤレス映像音声伝送システム。
【請求項１３】
前記無線受信装置の前記受信制御部は、
映像音声信号の受信中には受信中であることを示す応答信号を定期的に前記無線送信装置の前記無線送信部に通知するよう前記無線受信部を制御し、
前記無線送信装置の前記送信制御部は、
前記無線送信部が前記応答信号を一定時間受け取らなかった場合には前記Ａ／Ｄ変換部かつまたは前記無線送信部の動作させない制御を行うことを特徴とする、請求項１から１２のいずれか一項に記載のワイヤレス映像音声伝送システム。
【請求項１４】
前記無線受信装置は内蔵電池で動作し、
前記受信制御部は前記Ｄ／Ａ変換部がデジタル信号を映像音声信号に変換する際に、
前記内蔵電池の残量に応じた映像信号かつまたは音声信号を重畳するよう前記Ｄ／Ａ変換部を制御することを特徴とする、請求項１から１３のいずれか一項に記載のワイヤレス映像音声伝送システム。
【請求項１５】
前記無線受信装置の前記受信制御部は、
前記内蔵電池の容量が少ない場合にのみ映像信号かつまたは音声信号を重畳することを特徴とする、請求項１４に記載のワイヤレス映像音声伝送システム。
【請求項１６】
前記無線送信部と前記無線受信部の間の通信手段は２．４ＧＨｚ帯の周波数を用いる小電力データ通信システムであることを特徴とする、請求項１から１５のいずれか一項に記載のワイヤレス映像音声伝送システム。
【請求項１７】
前記無線送信部と前記無線受信部の間の通信手段は５ＧＨｚ帯の周波数を用いる無線アクセスシステムであることを特徴とする、請求項１から１５のいずれか一項に記載のワイヤレス映像音声伝送システム。
【請求項１８】
前記無線送信部と前記無線受信部の間の通信手段はワイヤレスＩＥＥＥ１３９４であることを特徴とする、請求項１から１５のいずれか一項に記載のワイヤレス映像音声伝送システム。
【請求項１９】
前記無線送信部と前記無線受信部の間の通信手段は電力線データ通信であることを特徴とする、請求項１から１５のいずれか一項に記載のワイヤレス映像音声伝送システム。
【発明の詳細な説明】
【技術分野】
【０００１】
本発明は映像信号または音声信号を無線で伝送するワイヤレス映像音声伝送システムに関するものである。
【背景技術】
【０００２】
従来のワイヤレス映像音声伝送機器としては、選局装置と表示装置の間で映像信号および操作指示情報を無線伝送するものがあった（例えば、特許文献１の第２２頁、図１５を参照）。
【特許文献１】特開２００１−３５８９６６号公報
【発明の開示】
【発明が解決しようとする課題】
【０００３】
しかしながら、前記従来の構成では、あらかじめ無線送受信に対応した選局装置および表示装置間でのみ無線伝送が可能であり、既存の（無線送受信機能を持たない）映像機器を用いた無線伝送経由の視聴は不可能であった。例えば前記選局装置の出力を既存のテレビ受像機で無線受信して表示したり、既存のビデオテープレコーダの映像出力を無線送信して前記表示装置で受信・表示するということはできなかった。
【０００４】
本発明は、前記従来の課題を解決するもので、既存の（無線送受信機能を持たない）映像音声入出力機器間で映像音声信号の無線伝送を可能としたワイヤレス映像音声伝送システムを提供することを目的とする。
【課題を解決するための手段】
【０００５】
前記従来の課題を解決するために、本発明のワイヤレス映像音声伝送システムは、外部機器から映像かつまたは音声信号（以下映像音声信号）を入力する映像音声入力部と、前記映像音声信号をデジタル信号に変換するＡ／Ｄ変換部と、前記デジタル信号を無線信号に変調して送信する無線送信部と、前記Ａ／Ｄ変換部と前記無線送信部を制御する送信制御部とを備えた一つまたは複数の無線送信装置と、無線信号を受信してデジタル信号に復調する無線受信部と、前記デジタル信号を映像音声信号に変換するＤ／Ａ変換部と、前記映像音声信号を外部機器に出力する映像音声出力部と、前記無線受信部と前記Ｄ／Ａ変換部を制御する受信制御部とを備えた一つまたは複数の無線受信装置と、を有し、前記無線受信装置は、一つまたは複数の前記無線送信装置から送信される無線信号を受信し、その無線信号から自機で受信可能な一つまたは複数の映像音声信号を選択することを特徴とする。
【０００６】
本構成によって、無線送受信機能を持たない映像音声入出力機器間で映像音声信号の無線伝送を可能とし、かつ映像音声出力機器が複数ある場合に、受信側でその一つを選択して表示することができる。
【０００７】
本発明の一実施の形態において、前記無線受信装置は、ユーザからの選択指示を受け付けるユーザ入力部をさらに備え、前記受信制御部は、複数の映像音声信号を受信可能な場合に、各映像音声信号を順に出力し、前記ユーザ入力部からの選択指示があった時点で順に出力する動作を止めてその時点で出力していた映像音声信号の出力を継続する。
【０００８】
本発明の一実施の形態において、前記無線受信装置は、ユーザからの選択指示を受け付けるユーザ入力部をさらに備え、前記受信制御部は、複数の映像音声信号を受信可能な場合に、複数の映像信号をユーザが選択可能な形態で合成して一つの映像信号として出力し、前記ユーザ入力部からの選択指示があった場合にその選択に応じて前記複数の映像音声信号から一つを選択して出力する。
【０００９】
本発明の一実施の形態において、前記無線受信装置はそれぞれ自機に固有の識別番号を持ち、前記無線送信装置の前記送信制御部は、デジタル信号を無線信号に変調する際に受信対象となる一つまたは複数の無線受信装置の識別番号をデジタル信号または無線信号に含めて変調するよう前記無線送信部を制御し、前記無線受信装置の前記受信制御部は、前記無線受信部が受信した無線信号または復調したデジタル信号に自機の識別番号が含まれている場合に自機で受信可能と判定する。
【００１０】
本発明の一実施の形態において、前記無線送信装置および前記無線受信装置は共にデジタル信号の暗号化に用いる暗号鍵を保持する暗号鍵保持部をさらに備え、前記無線送信装置の前記送信制御部は、デジタル信号を前記暗号鍵で暗号してから無線信号に変換するよう前記無線送信部を制御し、前記無線受信装置の前記受信制御部は、復調したデジタル信号を前記暗号鍵で復調するよう前記無線受信部を制御する。
【００１１】
本発明の一実施の形態において、前記無線受信装置および前記無線送信装置の前記暗号鍵保持部には、製造時に同じ暗号鍵を記録する。
【００１２】
本発明の一実施の形態において、前記無線受信装置および前記無線送信装置は互いに通信可能な接触型の通信手段をさらに備え、前記接触型の通信手段により前記無線受信装置と前記無線送信装置の間で識別番号かつまたは暗号鍵の交換を行う。
【００１３】
本発明の一実施の形態において、前記無線受信装置および前記無線送信装置は互いに通信可能な近接非接触型の通信手段をさらに備え、前記近接非接触型の通信手段により前記無線受信装置と前記無線送信装置の間で識別番号かつまたは暗号鍵の交換を行う。
【００１４】
本発明の一実施の形態において、前記無線受信装置および前記無線送信装置はユーザが通信開始を指示するための通信開始指示手段をさらに備え、前記通信開始指示手段により通信開始が指示された場合に、前記近接非接触型の通信手段により前記無線受信装置と前記無線送信装置の間で識別番号かつまたは暗号鍵の交換を行う。
【００１５】
本発明の一実施の形態において、前記無線送信装置は、前記映像音声入力部から入力される映像音声信号に重畳されるコピープロテクト信号の有無を検出するコピープロテクト信号検出部をさらに備え、前記送信制御部はデジタル信号に前記コピープロテクト信号検出部によるコピープロテクト信号の検出結果を含めて無線信号に変換するよう前記無線送信部を制御し、前記無線受信装置は、前記映像音声出力部に出力する映像音声信号にコピープロテクト信号を重畳するコピープロテクト信号重畳部をさらに備え、前記受信制御部は前記無線受信部が復調したデジタル信号に含まれるコピープロテクト信号の検出結果が少なくともコピープロテクト有りの場合は前記コピープロテクト信号重畳部がコピープロテクト信号を重畳するよう制御する。
【００１６】
本発明の一実施の形態において、前記無線送信装置の前記Ａ／Ｄ変換部は映像音声信号をデジタル信号に変換する際に圧縮処理をも行い、前記無線受信装置の前記Ｄ／Ａ変換部はデジタル信号を映像音声信号に変換する際に伸張処理をも行う。
【００１７】
本発明の一実施の形態において、前記無線送信装置の前記送信制御部は、前記映像音声信号入力部に映像音声信号の入力がない場合は前記Ａ／Ｄ変換部かつまたは前記無線送信部を動作させない制御を行う。
【００１８】
本発明の一実施の形態において、前記無線受信装置の前記受信制御部は、映像音声信号の受信中には受信中であることを示す応答信号を定期的に前記無線送信装置の前記無線送信部に通知するよう前記無線受信部を制御し、前記無線送信装置の前記送信制御部は、前記無線送信部が前記応答信号を一定時間受け取らなかった場合には前記Ａ／Ｄ変換部かつまたは前記無線送信部の動作させない制御を行う。
【００１９】
本発明の一実施の形態において、前記無線受信装置は内蔵電池で動作し、前記受信制御部は前記Ｄ／Ａ変換部がデジタル信号を映像音声信号に変換する際に、前記内蔵電池の残量に応じた映像信号かつまたは音声信号を重畳するよう前記Ｄ／Ａ変換部を制御する。
【００２０】
本発明の一実施の形態において、前記無線受信装置の前記受信制御部は、前記内蔵電池の容量が少ない場合にのみ映像信号かつまたは音声信号を重畳する。
【００２１】
本発明の一実施の形態において、前記無線送信部と前記無線受信部の間の通信手段は２．４ＧＨｚ帯の周波数を用いる小電力データ通信システムである。
【００２２】
本発明の一実施の形態において、前記無線送信部と前記無線受信部の間の通信手段は５ＧＨｚ帯の周波数を用いる無線アクセスシステムである。
【００２３】
本発明の一実施の形態において、前記無線送信部と前記無線受信部の間の通信手段はワイヤレスＩＥＥＥ１３９４である。
【００２４】
本発明の一実施の形態において、前記無線送信部と前記無線受信部の間の通信手段は電力線データ通信である。
【発明の効果】
【００２５】
本発明のワイヤレス映像音声伝送システムによれば、無線送受信機能を持たない映像音声入出力機器間で映像音声信号の無線伝送を可能とし、かつ映像音声出力機器が複数ある場合に、受信側でその一つを選択して表示することができる。
【発明を実施するための最良の形態】
【００２６】
以下本発明の実施の形態について、図面を参照しながら説明する。
【００２７】
（実施の形態１）
図１は、本発明の実施の形態１におけるワイヤレス映像音声伝送システムの構成図である。また、図２は、本発明の実施の形態１におけるワイヤレス映像音声伝送システムの使用例として、無線送受信機能を持たないビデオテープレコーダとテレビ受像機の間で映像音声信号を無線送受信する際の構成を示した概念図である。
【００２８】
本発明によるワイヤレス映像音声伝送システムは、図２に示すように使用されることを想定している。図２では、ビデオテープレコーダ２１の映像音声信号出力端子２１１に本発明による無線送信装置１１の映像音声入力部１１１を、またテレビ受像機２２の映像音声信号入力端子２２１に本発明による無線送信装置１２の映像音声出力部１２４を、それぞれ接続している。これにより、ビデオテープレコーダ２１の映像音声出力をテレビ受像機２２へワイヤレスで伝送することが可能となっている。
【００２９】
図１において、無線受信装置１１は次の要素から構成されている。１１１は映像音声入力部であり、先述したように映像音声を出力する機器の出力端子に接続して映像音声出力機器が出力する映像音声信号を無線受信装置１１に入力するものであり、具体的な実施形態としては図２に示されるように映像音声出力端子にプラグイン可能なプラグ部と映像音声を伝達するケーブルからなる。ただし、形状および構成については本発明の主眼ではなく、実施可能な形態はここに示した限りではない。１１２はコピープロテクト信号検出部であり、映像音声入力部１１１から入力された映像信号にコピープロテクト信号が含まれているか否かを判定する。コピープロテクト信号としてはＮＴＳＣ信号の垂直帰線区間に不可信号を載せるマクロビジョン社が開発したマクロビジョン方式のものが広く用いられており、本実施の形態においてもこの信号を検出することとしている。１１３はＡ／Ｄ変換部であり、映像音声入力部１１１から入力された映像音声信号をデジタル信号に変換後、暗号化および圧縮処理を行うものである。具体的な実施形態としてはＭＰＥＧ２エンコーダなどが使用されるがこの限りではない。１１４は無線送信部であり、Ａ／Ｄ変換部１１３が出力するデジタル信号を無線信号に変調し無線アンテナ１１８から送信する。無線送信に使用するプロトコルとしては無線ＬＡＮ標準互換プロトコルであるＩＥＥＥ８０２．１１ａ／ｂ／ｇなどが使用され、通信規格としてはＡＲＩＢ  ＳＴＤ−Ｔ６６／ＲＣＲ  ＳＴＤ−３３（２．４ＧＨｚ帯小電力データ通信システム規格）またはＡＲＩＢ  ＳＴＤ−Ｔ７１（５ＧＨｚ帯小電力データ通信システム規格）などが使用される。１１５は送信制御部であり、コピープロテクト信号検出部１１２、Ａ／Ｄ変換部１１３、無線送信部１１４を制御する。具体的な実施形態としては一般的にはＲＯＭ、ＲＡＭまたは着脱可能な記録メディア上に記録されたプログラムと、それを実行するＣＰＵおよび作業領域として使用するＲＡＭから構成される。１１６は自機および無線受信機の識別番号およびデジタル信号の暗号に使用する暗号鍵を格納するＩＤ・暗号鍵保持部である。暗号鍵保持部１１６はフラッシュメモリなどの不揮発性メモリで構成される。
【００３０】
次に図１において、無線受信装置１２は次の要素から構成される。無線受信部１２１は第二の無線アンテナ１２８から受信した無線信号を復調してデジタル信号を生成する。無線受信に使用するプロトコルや通信規格は無線送信装置と同じものが使用される。Ｄ／Ａ変換部１２２は無線受信部１２１が生成したデジタル信号を伸張し、暗号を復号し、映像音声信号に変換する。具体的な実施形態としてはＡ／Ｄ変換部１１３に対応してＭＰＥＧ２デコーダなどが使用される。コピープロテクト信号重畳部１２３はＡ／Ｄ変換部１１３が出力する映像音声信号にコピープロテクト信号を重畳するものであり、コピープロテクト信号検出部１１２同様マクロビジョン方式のコピープロテクト信号を重畳することとしている。映像音声出力部１２４は図２に示したように映像音声を表示する機器の映像音声入力端子に接続して映像音声信号を当該機器に入力するものであり、具体的な実施形態としては映像音声入力部１１１と同様である。受信制御部１２５は無線受信部１２１、Ｄ／Ａ変換部１２２、コピープロテクト信号重畳部１２３の動作を制御するものであり、具体的な実施形態は送信制御部１１５と同様である。第二のＩＤ・暗号鍵保持部１２６の構成もＩＤ・暗号鍵保持部１１６と同様である。ユーザ入力部１２９は、ユーザの操作指示を受け付けて受信制御部１２５に通知するものであり、具体的には装置につけられたボタンあるいはリモコン受光部などの形態を取る。
【００３１】
なお、接触通信部１１７と第二の接触通信部１２７は無線送信装置１１と無線受信装置１２の間で情報のやりとりを行うためのものであり、接触通信部１１７と第二の接触通信部１２７を接触させることで電気的な通信が可能であれば構成は問わない。
【００３２】
図１のように構成される本発明の実施の形態１によるワイヤレス映像音声伝送システムの動作を図３から図９を用いて以下に説明する。
【００３３】
初期状態におけるＩＤ・暗号鍵保持部１１６および第二のＩＤ・暗号鍵保持部１２６に保持されている内容を図３および図４にそれぞれ示す。ＩＤ・暗号鍵保持部１１６には無線送信装置１１の識別番号（ＩＤ）１０１と、無線送信装置１１が暗号に用いる暗号鍵０ｘＡＢＣＤ１２３４（１６進表記）が格納されている。無線送信装置１１の信号の送信対象である無線受信装置１２のＩＤは格納されていない。一方、第二のＩＤ・暗号鍵保持部１２６には無線受信装置１２のＩＤが格納されているが、本無線受信装置１２が受信対象とする無線送信装置１１のＩＤおよび暗号鍵は格納されていない。ここで、ユーザが図５に示すように無線送信装置１１の接触通信部１１７と無線受信装置１２の第二の接触通信部１２７を接触させる動作を行うと、送信制御部１１５と受信制御部１２５との間で通信が可能となり、ＩＤおよび暗号鍵の交換が行われ、それぞれＩＤ・暗号鍵保持部１１６および第二のＩＤ・暗号鍵保持部１２６に結果が保持される。具体的には、送信制御部１１５から受信制御部１２５へは無線送信装置１１のＩＤおよび暗号鍵が送信され、受信制御部１２５から送信制御部１１５へは無線受信装置１２のＩＤが送信される。この結果、ＩＤ・暗号鍵保持部１１６には図６に示すように無線送信装置１１の送信対象となる無線受信装置のＩＤが追加され、また第二のＩＤ・暗号鍵保持部１２６には図７に示すように、無線受信装置１２の受信対象となる無線送信装置のＩＤと暗号鍵が対応付けられて保持される。この状態で図２の使用例に示すように無線送信装置１１および無線受信装置１２を設置したものとする。
【００３４】
無線送信装置１１の動作は次の通りである。映像音声入力部１１１に映像音声信号が入力されると、コピープロテクト信号検出部１１２がコピープロテクト信号の有無を判定し、その結果を送信制御部１１５に通知する。その後、Ａ／Ｄ変換部１１３において映像音声信号がデジタル信号に変換され、同時にＭＰＥＧ圧縮および暗号化が行われる。デジタル信号にはさらに、自機のＩＤ、送信対象である無線受信装置１２のＩＤおよびコピープロテクト信号の存在の有無を示すフラグが付加される。自機のＩＤ、無線受信装置１２のＩＤおよび暗号化に使用する暗号鍵は、ＩＤ・暗号鍵保持部１１６に保持されているものが読み出され、それぞれ１０１、２０１、０ｘＡＢＣＤ１２３４が使用される。このような処理が行われたデジタル信号の例を図８に模式的に示す。この例では送信対象の無線受信装置の数は１でそのＩＤが２０１であり、コピープロテクト信号が有ったことを示している。なお、デジタル信号のフォーマットはこの通りである必要はなく、含まれる信号やそのサイズ（バイト数）、順序などは実施形態に応じて可変である。このデジタル信号は無線送信部１１４で変調され、前記したプロトコル・通信規格を用いて無線アンテナ１１８から送信される。
【００３５】
無線受信装置１２の動作は次の通りである。第二の無線アンテナ１２８で受信した無線送信装置１１からの無線信号は無線受信部１２１でデジタル信号に復調される。今回は図８に示すようなデジタル信号を受信したものとする。受信制御部１２５はこのデジタル信号に含まれる送信対象の無線受信装置１２のＩＤを判定し、自機ＩＤが含まれているかどうかを調べ、含まれていなければ以降の処理を行わないようにＤ／Ａ変換部１２２を制御する。この例では自機ＩＤ２０１が含まれているので、受信可能と判定してＤ／Ａ変換部１２２でデジタル信号の復号化、伸張および映像音声信号への変換が行われる。復号には第二のＩＤ・暗号鍵保持部１２６に保持されている暗号鍵のうち、デジタル信号に含まれている無線送信装置のＩＤ１０１に対応する０ｘＡＢＣＤ１２３４が用いられる。無線送信装置１１でも同じ暗号鍵０ｘＡＢＣＤ１２３４を用いて暗号がなされていたので、正常に復号することが可能である。コピープロテクト信号重畳部１２４は、受信したデジタル信号におけるコピープロテクトフラグが１であるので、Ｄ／Ａ変換部１２２で生成された映像音声信号に対してコピープロテクト信号を重畳する。映像音声出力部１２４はこの映像音声信号を出力する。
【００３６】
これらの動作により、無線送信装置１１に接続されている映像機器の出力が無線受信装置１２に伝送され、無線受信装置１２に接続されている他の映像機器に入力され、ユーザはこの映像を視聴することが可能になる。
【００３７】
また、映像音声入力部１１１に入力された映像音声信号にコピープロテクト信号が付加されている場合には、映像音声出力部１２４からコピープロテクト信号が重畳されて出力されるため、本実施の形態によるワイヤレス映像音声伝送システムにおいては著作権保護も可能となっている。
【００３８】
次に、無線送信装置１１が複数存在する場合の無線受信装置１２の動作を以下に説明する。複数の無線送信装置１１の個々の動作は上記と同じであるので省略する。無線受信装置１２の受信制御部１２５は、複数の無線送信装置１１からの無線信号を受信可能であることを検知すると、一定時間ごとに受信対象の無線送信装置１１を切り替えるよう無線受信部１２１を制御する。その結果、前記したＤ／Ａ変換部１２２、コピープロテクト信号重畳部１２３、映像音声信号出力部１２４を経てユーザは一定時間ごとに異なる映像機器からの出力を視聴することになる。ユーザが気に入った映像が表示されている間にユーザ入力部１２９を用いて選択指示を与えると、受信制御部１２５は切り替え動作を止めて現在受信中の無線送信装置１１からの信号の受信を継続するよう無線受信部１２１を制御する。
【００３９】
無線送信装置１１が複数存在する場合の無線受信装置１２の異なる動作を説明する。無線受信装置１２の受信制御部１２５は、複数の無線送信装置１１からの無線信号を受信可能であることを検知すると、Ｄ／Ａ変換部１２２に対して複数の映像信号を一つの映像信号に合成するよう処理する。例えば図９に示すように映像領域を矩形に分割してそれぞれの矩形に一つの無線送信装置１１からの映像信号を表示し、かつ現在選択状態の映像信号を区別して表示する形態が考えられる。ユーザはこの出力を視聴しながら、ユーザ入力部１２９を用いてこの中から一つを選択する指示を行う。選択指示方法には、カーソルキーの移動および決定指示の組み合わせ、番号入力などが考えられる。または、選択状態の映像信号を無線制御部１２５で一定間隔で切り替え、所望の映像信号が選択状態になった時点でユーザが選択指示を行う方法でもよい。
【００４０】
このように、本発明のワイヤレス映像音声伝送システムによれば、ユーザは複数の映像機器の出力から、好みの映像を容易に選択することが可能である。
【００４１】
ここで、切り替えの間隔は一定時間ごとではなくそれぞれ異なる時間であってもよい。その場合は複数の無線送信装置１１に対する優先度を無線受信装置１２で保持し、それに従って優先度の高い無線送信装置１１からの信号は長く、優先度の低い無線送信装置１１からの信号は短くするといった制御が考えられる。
【００４２】
なお、無線送信装置１１と無線受信装置１２の間の通信に用いるプロトコル・通信規格としては上記以外に、ＡＲＩＢ  ＳＴＤ  Ｔ−７２（小電力データ通信システム／ワイヤレス１３９４システム標準規格）を利用することも可能である。また、現在高速化に向けて開発が進められている特定省電力無線（現在の規格ＡＲＩＢ  ＳＴＤ−Ｔ１６７など）も将来的には利用可能である。さらに、同じく開発が進んでいる電力線データ通信を使用することも可能である。
【００４３】
また、本実施の形態においては暗号化は無線変調前のデジタル信号に対して行っているが、信号スクランブル等の技術を用いて無線信号に対する暗号化を行ってもよい。
【００４４】
さらに、本実施例では常に映像信号の存在を前提としていたが、本発明は映像信号の存在を必須とするものではなく、音声信号のみを伝送するシステムとしても構成可能である。
【００４５】
（実施の形態２）
以上述べた本発明の実施の形態１によるワイヤレス映像音声伝送システムにおいては、無線送信装置１１および無線受信装置１２を動作させる電力の供給手段については明示していないが、これは通常のＡＣ電源からの供給でもよいし、内蔵電池による駆動でも問題ない。図１０に無線受信装置１２が内蔵電池駆動の場合の構成を示す。同じ構成要素には図１と同じ符号を付して説明を省略する。電池１０３０は内蔵電池であり、一次電池・二次電池いずれであってもよいし、その構成材料なども本発明には影響を与えない。受信制御部１０２５は内蔵電池から残量の通知を受けることができるよう構成されている。
【００４６】
このように構成された本発明の実施の形態２によるワイヤレス映像音声伝送システムの動作を説明する。実施の形態１と同じ動作については省略する。
【００４７】
受信制御部１０２５は、電池１０３０の残量が一定量を下回った場合、Ｄ／Ａ変換部１２２に対して、映像信号に残量が不足していることを示す画像を付加するよう指示する。例えば図１１のように、映像信号に対して残量不足を示すアイコンを付加する。
【００４８】
これによりユーザは無線受信装置１０２の電池残量が少なくなったことを知ることができ、電池容量がなくなって視聴ができなくなる前に電池の交換または充電を行うことができるようになる。
【００４９】
ここでは電池１０３０の残量が少なくなった場合のみそれを知らせる画像を付加することとしたが、電池残量を定量的または定性的に表す画像を常に付加することでも目的は達成される。また、画像による通知ではなく信号音などの音声によって電池残量不足を通知してもよい。
【産業上の利用可能性】
【００５０】
本発明にかかるワイヤレス映像伝送システムは、既存の映像機器間で無線映像音声伝送を可能にする利点を有し、従来の映像音声ケーブルを置き換えて家庭内を無線化する用途に有用である。
【図面の簡単な説明】
【００５１】
【図１】本発明の実施の形態１におけるワイヤレス映像音声伝送システムの構成図
【図２】本発明の実施の形態１におけるワイヤレス映像音声伝送システムの使用例を表した図
【図３】無線送信装置１１の初期状態におけるＩＤ・暗号鍵保持部１１６の内容を示す図
【図４】無線受信装置１２の初期状態における第二のＩＤ・暗号鍵保持部１２６の内容を示す図
【図５】無線受信装置１１と無線送信装置１２の接触通信操作を表す概念図
【図６】接触通信後の無線送信装置１１のＩＤ・暗号鍵保持部１１６の内容を示す図
【図７】接触通信後の無線送信装置１２の第二のＩＤ・暗号鍵保持部１２６の内容を示す図
【図８】Ｄ／Ａ変換部１１３が出力するデジタル信号の例を示す図
【図９】複数の映像信号を合成した映像信号の例を示す図
【図１０】本発明の実施の形態２における無線受信装置１０２の構成図
【図１１】内蔵電池容量が少なくなったことを通知する映像信号例を示す図
【符号の説明】
【００５２】
１１    無線送信装置
１２    無線受信装置
１１１    映像音声入力部
１１２    コピープロテクト信号検出部
１１３    Ａ／Ｄ変換部
１１４    無線送信部
１１５    送信制御部
１１６    ＩＤ・暗号鍵保持部
１１７    接触通信部
１１８    無線アンテナ
１２１    無線受信部
１２２    Ｄ／Ａ変換部
１２３    コピープロテクト信号重畳部
１２４    映像音声出力部
１２５    受信制御部
１２６    第二のＩＤ・暗号鍵保持部
１２７    第二の接触通信部
１２８    第二の無線アンテナ
１２９    ユーザ入力部
２１    ビデオテープレコーダ
２２    テレビ受像機
１０２５    受信制御部
１０３０    電池
【図１】
2005192072.tif 000003
【図２】
2005192072.tif 000004
【図３】
2005192072.tif 000005
【図４】
2005192072.tif 000006
【図５】
2005192072.tif 000007
【図６】
2005192072.tif 000008
【図７】
2005192072.tif 000009
【図８】
2005192072.tif 000010
【図９】
2005192072.tif 000011
【図１０】
2005192072.tif 000012
【図１１】
2005192072.tif 000013